(57)【要約】【課題】櫛付き容器を倒立させた状態のみならず正立させた状態でも内容液の注出が可能な櫛付き容器を提供すること。【解決手段】スクイズ性を有する容器本体の上部口部に櫛付きキャップを組付け、容器本体を押圧すると櫛歯に設けられた連通孔から内容液が注出される櫛付き容器において、容器本体内に内容液を貯留する中皿を設けるとともに連通孔に連通した注出管を中皿内に延設させて櫛付き容器を構成した。これにより、櫛付き容器を正立させた状態であっても中皿内に貯留された内容液が注出管を通って注出され、櫛付き容器を倒立させたときに加え正立状態でも内容液を注出できるので、使い勝手のよい櫛付き容器を提供できる。【選択図】  図１
2004321711.tif 000002
【特許請求の範囲】
【請求項１】
容器本体の上部口部に、櫛歯を屹立させた櫛付きキャップを組み付け、前記櫛歯内部に設けられた連通孔を介して内容液を注出させる櫛付き容器において、
前記内容液を貯留する貯留部を前記容器本体内に備えるとともに前記連通孔に連通した注出管の下端を前記貯留部内に延設したことを特徴とする櫛付き容器。
【請求項２】
前記貯留部を、前記口部内面に嵌合するリング状の保持体と、該保持体に固定された中皿とから構成したことを特徴とする請求項１に記載の櫛付き容器。
【発明の詳細な説明】
【０００１】
【発明の属する技術分野】
本発明は、櫛歯を上部に備え、白髪染め液、ヘアマニキュア、整髪料等など頭髪用内容液を櫛歯から注出させ、櫛歯から頭髪に直接内容液を塗布する櫛付き容器に関する。
【０００２】
【従来の技術】
櫛付き容器は、スクイズ性を有する容器本体の上部口部に、櫛歯を複数備えた櫛付きキャップを備え、容器本体内に収容されている白髪染め液、ヘアマニキュア、整髪料等の頭髪用内容液を、容器本体を押圧して櫛歯に設けられた注出孔から注出させ、内容液が付着された櫛歯で頭髪を梳いてこれら内容液を頭髪に直接塗布するようにした容器である。
【０００３】
また櫛付き容器を用いる場合は、注出孔から注出されてくる内容液を見ながら容器本体を押圧し、所望量の内容液を櫛歯上に注出させていた。（例えば、特許文献１参照）。
【０００４】
【特許文献１】
特開２００２−２２３８４１号公報。
【０００５】
【発明が解決しようとする課題】
しかしながら従来の櫛付き容器は、注出孔に通ずる通路の流入口が櫛付きキャップの内面に開口されているため、櫛付き容器を倒立させなければ注出孔から内容液が注出されなかった。
【０００６】
つまり櫛付き容器を正立させた状態では、内容液が容器本体の底部に溜まってしまい、容器本体の側面を押圧しても注出孔から内容液が注出されることがなく、逐一櫛付き容器を倒立させて内容液を注出させていた。
【０００７】
本発明は、櫛付き容器を倒立させたときだけではなく櫛付き容器を正立させた状態であっても内容液が注出される、使い勝手の良好な櫛付き容器を提供することを目的とする。
【０００８】
【課題を解決するための手段】
本発明では、上記課題を解決するため次のように櫛付き容器を構成した。
【０００９】
すなわち、請求項１に記載の発明は、容器本体の上部口部に、櫛歯を屹立させた櫛付きキャップを組み付け、前記櫛歯内部に設けられた連通孔を介して前記容器本体内の内容液が注出される櫛付き容器において、前記内容液を貯留する貯留部を該容器本体内に備えるとともに前記連通孔に連通した注出管の下端を前記貯留部内に延設して櫛付き容器を構成した。
【００１０】
これにより、櫛付き容器を倒立させたときは従来と同様に容器口部側に溜まる内容液が注出管を通して注出され、櫛付き容器を正立させたときは、貯留部内に貯留された内容液が注出管を通して櫛歯から注出される。したがって、櫛付き容器を倒立させたときのみならず櫛付き容器を正立させた状態でも内容液を注出でき、使い勝手のよい櫛付き容器を提供できる。
【００１１】
請求項２に記載の発明は、請求項１に記載の櫛付き容器において、貯留部を、口部内面に嵌合するリング状の保持体と、この保持体に固定された中皿とから構成した。これにより、リング状の保持体を口部内面に嵌合させることにより中皿を櫛付き容器内に確実に固定、設定することができる。
【００１２】
【発明の実施の形態】
本発明にかかる櫛付き容器の一実施形態を、図面を参照しながら説明する。
【００１３】
櫛付き容器１は、図７に示すように、容器本体２と、この容器本体２の上部に組み付けられた櫛付きキャップ３から構成されている。
【００１４】
容器本体２は、合成樹脂等からなる円筒体の容器で、側面への押圧力により変形、復元するスクイズ性を備え、図１に示すように外周に螺旋状の突条６が形成された口部５を上部に有している。尚、容器本体２の材質、形状等はこれに限るものではない。
【００１５】
櫛付きキャップ３は、上端に内鍔状の頂板部を連設した円筒状の組付き筒１０と、この組付き筒１０の頂板部を介して起立設された扁平な筒体の上端に設けられた頂壁１２と、頂壁１２に立設された櫛歯１３と、貯留部４からなり、組付き筒１０の内周面に螺旋状に形成された突条１４が口部５の突条６に螺合している。
【００１６】
櫛歯１３は、扁平、かつ図３に示すように側面からの形状が木の歯状で、左右両端の枠櫛歯１３ａは図１に示すように頂壁１２と一体に形成してあり、この枠櫛歯１３ａ間に立設された４本の櫛歯１３は枠櫛歯１３ａと別に一体に形成され、別途頂壁１２に組み付けられている。尚、櫛歯１３や枠櫛歯１３ａの本数、形状、それらの組み付け、構成等は上記例に限るものではない。
【００１７】
別途一体に形成した櫛歯１３には、内部に連通孔１５が長手方向に形成してあり、連通孔１５の流出口が櫛歯１３の上部左右側面に開口している。更に連通孔１５の下部には、櫛歯１３を頂壁１２に組付けると後述する中皿２１の内部に延設される注出管１６がそれぞれ連設されている。
【００１８】
尚、口部５に嵌合されている中栓３０は、櫛付き容器１の保管、運搬、更には二液混合時等のために用いられており、櫛付き容器１の使用時には取り外される。
【００１９】
貯留部４は、図２の（ａ）、及び（ｂ）に示すように、保持体としての円環状の保持リング２０と、保持リング２０の中央部分に保持リング２０と一体に形成された長方形の中皿２１からなり、保持リング２０が図３に示すように組付き筒１０の上部内側に嵌合し固定される。
【００２０】
中皿２１は上面が開放されており、櫛付き容器１を倒立状態から正立させると上面から流入した内容液が内部に適量貯留され、更に上述した注出管１６の下端部が中皿２１内に貯留された内容液内に浸漬するようになっている。
【００２１】
次に、櫛付き容器１の作用について説明する。
【００２２】
使用前の櫛付き容器１は、中皿２１内に内容液が貯留されておらず、また櫛付き容器１を正立させた状態では白髪染め剤などの内容液が底部にあるため、容器本体２の側面を押圧しても内容液は注出されない。
【００２３】
まず、図４に示すように櫛付き容器１を倒立（櫛付きキャップ３を斜め下方に向ければ充分である。）させる。すると、内容液が櫛付きキャップ３側に流れ落ちるので、容器本体２の側面を押圧すると内容液が注出管１６を通して連通孔１５の開口から注出される。内容液が注出されたら櫛歯１３を用いて頭髪を梳き、櫛歯１３に付着した内容液を頭髪に付着させる。
【００２４】
そして倒立した状態から櫛付き容器１を正立させると、図５に示すように内容液が中皿２１内に流入し適量の内容液が中皿２１内に貯留される。かかる状態で容器本体２の側面を押圧し櫛付き容器１の内圧を高めると、中皿２１内に貯留された内容液が注出管１６を通して連通孔１５の開口から注出される。このとき櫛付き容器１が正確に正立されていなくとも、内容液が中皿２１内に貯留され、かつ注出管１６の下端が内容液内に浸漬されていれば連結孔１５の開口から注出される。このようにして内容液が適量注出されたら櫛歯１３を用いて頭髪を梳き、櫛歯１３に付着した内容液を頭髪に付着させる。
【００２５】
したがって櫛付き容器１によれば、従来同様櫛付き容器１を倒立させた状態で内容液を注出できるとともに正立させた状態で中皿２１内に内容液が貯留されることから、逐一容器本体２を倒立させることなく櫛付き容器１を正立させた状態でも内容液を連通孔１５の開口から注出でき、良好な使い勝手が得られる。
【００２６】
尚、中皿２１は、四角形に限らず、多角形、楕円形、円形等としてもよい。また、注出管１６の下端部近辺の底を深く形成すると中皿２１内に内容液を残すことなく注出できる。更に個々の注出管１６の長さを異ならせてもよい。
【００２７】
櫛付きキャップの他の例を図６に示す。この櫛付きキャップ７は、注出管１６が頂壁１２の下面に一体に成形してあり、別途形成された櫛歯１３を頂壁１２の上面に嵌合させると、連通孔１５が注出管１６の内孔に連通するようになっている。この櫛付きキャップ７によれば、櫛付き容器１を倒立に限らず正立させた状態でも内容液を注出させることができ、使い勝手を良好にできるとともに注出管１６が頂壁１２に一体に成形されていることから、注出管１６を頂壁１２に貫通させる必要がなく櫛歯１３の組付けが容易にできる。
【００２８】
【発明の効果】
本発明によれば、内容液を貯留する中皿を容器本体内に備え、かつ櫛歯内に形成された連通孔に連通した注出管を中皿内に延設して櫛付き容器を構成したことから、櫛付き容器を倒立させたときのみならず櫛付き容器を正立させた状態でも内容液を注出でき、使い勝手が良好な櫛付き容器を提供できる。
【図面の簡単な説明】
【図１】本発明にかかる櫛付き容器の一実施形態を示す断面図である。
【図２】（ａ）貯留部を示す平面図であり、（ｂ）貯留部を示す側面図である。
【図３】本発明にかかる櫛付き容器を示す一部断面図である。
【図４】本発明にかかる櫛付き容器を示す一部断面図である。
【図５】本発明にかかる櫛付き容器を示す断面図である。
【図６】本発明にかかる櫛付き容器の他の実施形態を示す断面図である。
【図７】本発明にかかる櫛付き容器の一実施形態を示す正面図である。
【符号の説明】
１  ；  櫛付き容器
２  ；  容器本体
３、７  ；  櫛付きキャップ
４  ；  貯留部
５  ；  口部
６  ；  突条
１０；  組付き筒
１２；  頂壁
１３；  櫛歯
１３ａ；枠櫛歯
１４；  突条
１５；  連通孔
１６；  注出管
２０；  リング体
２１；  中皿
３０；  中栓
【図１】
2004321711.tif 000003
【図２】
2004321711.tif 000004
【図３】
2004321711.tif 000005
【図４】
2004321711.tif 000006
【図５】
2004321711.tif 000007
【図６】
2004321711.tif 000008
【図７】
2004321711.tif 000009